(57)【要約】【課題】太陽光発電機能と水浄化機能とを備えており、構成部品が少なく、設置が容易であり、水の浄化効率に優れた水浄化装置、それを用いた水浄化方法及び水浄化システムを提供する。【解決手段】本発明の水浄化装置１は、光触媒によって水を浄化する水浄化装置であって、半導体層の受光面側に配され、受光面に透明な保護層を備える第１電極と、反受光面側に配された裏面側の第２電極と、を有する太陽光発電パネル４を備えており、第１電極には水路が形成されており、第１電極は光触媒部材により形成されている。【選択図】図１
2014104434.tif 000002
【特許請求の範囲】
【請求項１】
光触媒によって水を浄化する水浄化装置であって、
半導体層の受光面側に配され、受光面に透明な保護層を備える第１電極と、反受光面側に配された裏面側の第２電極と、を有する太陽光発電パネルを備えており、
前記第１電極には水路が形成されており、
前記第１電極は光触媒部材により形成されていることを特徴とする水浄化装置。
【請求項２】
前記第１電極の前記半導体層側には緻密層が配されている請求項１に記載の水浄化装置。
【請求項３】
前記緻密層が透明な樹脂により形成されている請求項２に記載の水浄化装置。
【請求項４】
前記第１電極は多孔質な部位を有する請求項１乃至３のうちのいずれか一項に記載の水浄化装置。
【請求項５】
請求項１乃至４のうちのいずれか一項に記載された水浄化装置を用いた水浄化方法であって、
前記水路に水を供給し、前記第１電極を構成する前記光触媒部材の光触媒作用により、前記水を浄化することを特徴とする水浄化方法。
【請求項６】
請求項１乃至４のうちのいずれか一項に記載された水浄化装置と、
前記水浄化装置の前記水路に水を供給するための水供給装置と、
前記水浄化装置により浄化された水を受水するための受水装置と、を備えており、
前記水供給装置を用いて水を供給することにより、前記水浄化装置の前記水路に水を流し、前記第１電極を構成する前記光触媒部材の光触媒作用によって前記水を浄化し、浄化された水を得る水浄化システムであって、
前記水供給装置の動力源が、前記水浄化装置における前記太陽光発電パネルにより発電された電力であることを特徴とする水浄化システム。
【発明の詳細な説明】
【技術分野】
【０００１】
本発明は、水浄化装置、それを用いた水浄化方法及び水浄化システムに関する。更に詳しくは、本発明は、太陽光発電機能と水浄化機能とを備えており、水の浄化効率に優れた水浄化装置、それを用いた水浄化方法及び水浄化システムに関する。
【背景技術】
【０００２】
従来より、光触媒による浄化作用を利用した様々な水浄化装置が検討されている。具体的には、例えば、太陽光発電パネルの表面に光触媒を配置し、パネルに流す水を浄化する技術が提案されている（特許文献１参照）。また、太陽光発電パネルの傾斜を利用して光触媒による水浄化領域を設け、その領域の流水を浄化する技術が提案されている（特許文献２参照）。更には、太陽光発電で得られた電力をもとに、別に用意した水浄化ユニットを駆動させ、殺菌処理した水を供給する技術が提案されている（特許文献３、４参照）。
【先行技術文献】
【特許文献】
【０００３】
【特許文献１】特開２０１１−２３００７８号公報
【特許文献２】特開２００６−３０５４３８号公報
【特許文献３】特開２０１０−２７４１８２号公報
【特許文献４】特開２０１０−６４０４５号公報
【発明の概要】
【発明が解決しようとする課題】
【０００４】
しかしながら、特許文献１等の従来技術では、パネル表面に光触媒を配置する手間が必要となるほか、表面にガラス層が存在し、水によるパネルの冷却効率が十分であるとはいえない。また、特許文献２等の従来技術では、発電領域と浄化領域とが必要となり、スペース効率が十分であるとはいえない。更に、特許文献３、４等の従来技術では、水浄化ユニットに付帯する電気設備、タンク等が大規模になる傾向にあり、装置を設置するための場所、設置工数等の初期投入コストが大きくなる傾向にある。また、これらの従来技術では、飲料水に困る可能性がある地域や場所（発展途上国、災害地域、山間部、離島等）には導入が困難である。たとえ、導入したとしても浄化ユニットの駆動に必要な電解液の補充や消耗品の交換によるランニングコストの増大、定期的なメンテナンスが必要となり、継続的な使用が困難となる場合がある。
【０００５】
本発明は、上記実情に鑑みてなされたものであり、構成部品が少なく、設置が容易であり、浄化効率に優れた水浄化装置、それを用いた水浄化方法及び水浄化システムを提供することを目的とする。
【課題を解決するための手段】
【０００６】
上記問題点を解決するために、請求項１に記載の発明は、光触媒によって水を浄化する水浄化装置であって、
半導体層の受光面側に配され、受光面に透明な保護層を備える第１電極と、反受光面側に配された裏面側の第２電極と、を有する太陽光発電パネルを備えており、
前記第１電極には水路が形成されており、
前記第１電極は光触媒部材により形成されていることを要旨とする。
【０００７】
請求項２に記載の発明は、請求項１において、前記第１電極の前記半導体層側には緻密層が配されていることを要旨とする。
【０００８】
請求項３に記載の発明は、請求項２において、前記緻密層が透明な樹脂により形成されていることを要旨とする。
【０００９】
請求項４に記載の発明は、請求項１乃至３のうちのいずれか一項において、前記第１電極は多孔質な部位を有することを要旨とする。
【００１０】
請求項５に記載の発明は、請求項１乃至４のうちのいずれか一項に記載された水浄化装置を用いた水浄化方法であって、
前記水路に水を供給し、前記第１電極を構成する前記光触媒部材の光触媒作用により、前記水を浄化することを要旨とする。
【００１１】
請求項６に記載の発明は、請求項１乃至４のうちのいずれか一項に記載された水浄化装置と、
前記水浄化装置の前記水路に水を供給するための水供給装置と、
前記水浄化装置により浄化された水を受水するための受水装置と、を備えており、
前記水供給装置を用いて水を供給することにより、前記水浄化装置の前記水路に水を流し、前記第１電極を構成する前記光触媒部材の光触媒作用によって前記水を浄化し、浄化された水を得る水浄化システムであって、
前記水供給装置の動力源が、前記水浄化装置における前記太陽光発電パネルにより発電された電力であることを要旨とする。
【発明の効果】
【００１２】
本発明の水浄化装置によれば、受光面側の電極となる第１電極には水路が形成されており、この第１電極は光触媒部材により構成されているため、水を第１電極に直に流すことにより、効率よく水を浄化することができる。更には、浄化の際における流水が赤外光を吸収するため、太陽光発電パネルの温度上昇によるエネルギー変換効率の低下を十分に抑制することができる。また、構成部品が少なく、スペースを十分に活かすことができ、設置も容易である。
また、第１電極の半導体層側に緻密層が配されている場合には、第１電極と第２電極の短絡を十分に防止することができる。
更に、緻密層が透明な樹脂により形成されている場合には、太陽光発電パネルにおけるエネルギー変換効率を低下させることなく、第１電極と第２電極の短絡を十分に防止することができる。
また、第１電極が多孔質な部位を有する場合には、光触媒部材と水との接触面積が増大し、より効率よく水を浄化することができる。
【００１３】
本発明の水浄化方法によれば、特定の水浄化装置を用いているため、効率よく水を浄化することができる。
【００１４】
本発明の水浄化システムによれば、特定の水浄化装置を用いているため、効率よく水を浄化することができる。更には、システム全体が簡易な構成であり、頻繁なメンテナンスを必要としない。
【図面の簡単な説明】
【００１５】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】水浄化システムの模式的な説明図である。
【図２】太陽光発電パネルの断面の模式的な説明図である。
【図３】太陽光発電パネルの断面の模式的な説明図である。
【図４】太陽光発電パネルの断面の模式的な説明図である。
【発明を実施するための形態】
【００１６】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１７】
以下、本発明を詳しく説明する。
［１］水浄化装置及びそれを用いた水浄化方法
本発明の水浄化装置は、光触媒によって水を浄化する水浄化装置であって、太陽光発電パネルを備えている。そして、この太陽光発電パネルは、光触媒部材により形成され且つ水路を備える第１電極(受光面側の電極)を有していることを特徴とする。
また、本発明の水浄化方法は、上述の水浄化装置を用いた水浄化方法であって、水路に水を供給し、第１電極を構成する光触媒部材の光触媒作用により、水を浄化することを特徴とする。
【００１８】
上記太陽光発電パネルは、半導体層と、半導体層の受光面側に配された第１電極と、半導体層の反受光面側に配された第２電極と、を有する。
上記半導体層の構成は特に限定されず、従来の太陽光発電パネルに使用されているものを用いることができる。具体的には、例えば、ｐｎ接合半導体からなる層、ｐｉｎ接合半導体からなる層を用いることができる。
半導体層の厚みは特に限定されないが、例えば、０．０１μｍ〜１０ｍｍ（特に０．３μｍ〜１ｍｍ）とすることができる。
【００１９】
上記第１電極は、太陽光発電パネルにおける受光面側の電極である。この第１電極は透明であり、光触媒部材により構成されている。この光触媒部材としては、例えば、二酸化チタン（ＴｉＯ２）、酸化亜鉛（ＺｎＯ）等が挙げられる。
また、第１電極は多孔質な部位を備えていることが好ましい。多孔質な部位を備えている場合、この部位が後述する網目状の水路となり、光触媒部材と水との接触面積が増大し、より効率よく水を浄化することができる。
尚、多孔質な部位を形成する方法は特に限定されない。具体的には、例えば、第１電極を形成する際の原料である二酸化チタン等の原料粉末に、有機粒子（例えば、スチレン系樹脂粒子やアクリル系樹脂粒子等）を混合しておき、焼成の際に有機粒子を炭化させて除去することにより多孔質な部位を形成することができる。
第１電極における水路は、受光面側となる表面において樋状に形成されていてもよいし（図４における水路２１参照）、電極内部において網目状等のトンネル状に形成されていてもよい（図２、３における水路１４参照）。
この第１電極の厚みは特に限定されないが、例えば、０．１μｍ〜１００ｍｍ（特に１〜５ｍｍ）とすることができる。
【００２０】
また、上記太陽光発電パネルにおける第１電極の半導体層側が緻密でない場合には、第１電極の水路に流される水による第１電極と第２電極の短絡を防止するために、第１電極の少なくとも半導体層側となる面に緻密層を配設することが好ましい。
緻密層を形成する場合には、透明な樹脂（例えば、ポリカーボネート（ＰＣ）、ポリメタクリル酸メチル（ＰＭＭＡ）ポリビニルアルコール（ＰＶＡ）、ポリエチレンテレフタレート（ＰＥＴ）、ポリスチレン（ＰＳ）等）により形成することが好ましい。この場合、太陽光発電パネルにおけるエネルギー変換効率を低下させることなく、第１電極と第２電極の短絡を十分に防止することができる。
【００２１】
上記第２電極は、太陽光発電パネルにおける反受光面側の電極である。第２電極の材質は特に限定されず、従来の太陽光発電パネルにおける裏面側の電極に使用されているものを用いることができる。具体的には、例えば、アルミニウム、銀、白金、銅、モリブデン等の金属等が用いられる。
この第２電極の厚みは特に限定されないが、例えば、０．０１μｍ〜１０ｍｍ（特に０．１μｍ〜１ｍｍ）とすることができる。
【００２２】
上記太陽光発電パネルにおいては、耐久性向上の観点から、第１電極の表面（受光面）に、ガラス製等の透明な保護層が配設されている。
この保護層の厚みは特に限定されないが、例えば、０．１〜１００ｍｍ（特に１〜１０ｍｍ）とすることができる。
【００２３】
また、本発明の水浄化装置では、太陽光発電パネルに傾斜が設けられており、第１電極の水路に供給された水は、その自重により水路を流れることが好ましい。
【００２４】
［２］水浄化システム
本発明の水浄化システムは、上述の水浄化装置と、水浄化装置の水路に水を供給するための水供給装置と、水浄化装置により浄化された水を受水するための受水装置と、を備えている。この水供給装置の動力源は、水浄化装置における太陽光発電パネルにより発電された電力である。そして、水供給装置を用いて水を供給することにより、水浄化装置の水路に水を流し、第１電極を構成する光触媒部材の光触媒作用によって水を浄化し、浄化された水を得ることができる。
【００２５】
上記水供給装置の構成は特に限定されない。具体的には、例えば、地下水、池の水、雨水タンクの水等を汲み上げ、水浄化装置における第１電極に配水可能なポンプ等が挙げられる。尚、この水供給装置には、気象に応じてポンプの稼働を制御可能な光量センサ等が配設されていてもよい。
また、上記受水装置の構成は特に限定されない。具体的には、例えば、光触媒作用により浄化された水が、その自重により第１電極に連設された配管を流れて貯水タンクに溜まる形態の装置等が挙げられる。
【実施例】
【００２６】
以下、図面を用いて実施例により本発明を具体的に説明する。
＜実施例１＞
［１］水浄化システムの構成
実施例１における水浄化システムは、図１に示すように、光触媒によって水を浄化する水浄化装置１と、水浄化装置１に水を供給するための水供給装置２と、水浄化装置１により浄化された水を受水するための受水装置３と、を備えている。尚、図中における直線状の矢印は、水の流れを示している。
【００２７】
水浄化装置１は太陽光発電パネル４を有しており、この太陽光発電パネル４は、図２に示すように、ｎ型半導体５とｐ型半導体６からなるｐｎ接合半導体（半導体層７）と、半導体層７の受光面側（ｎ型半導体５側）に配された第１電極８と、第１電極８の表面に配されたガラス製の透明な保護層９と、半導体層７の反受光面側（ｐ型半導体６側）に配された第２電極１０と、を有する。また、図１に示すように、太陽光発電パネル４は、供給される水が図中の矢印方向に自重で流れるように架台１１により傾斜が調整されている。
第１電極８は透明な電極であり、光触媒部材（材質；ＴｉＯ２）によって構成されている。また、この第１電極８は、表面側（表面層）は緻密に形成されており（図２における緻密部１２を参照）、内部は多孔質であり網目状のトンネルが形成されている（図２における多孔質部１３を参照）。そして、この多孔質部１３における空孔が、浄化される水の水路１４となっている。
第２電極１０はアルミニウムを含む金属によって構成されている。
【００２８】
水供給装置２は、地下水等を汲み上げ可能なポンプ１５と、水浄化装置１における第１電極８の水路１４（図２参照）に配水可能な配管１６と、を備えている。
また、ポンプ１５は、水浄化装置１における太陽光発電パネル４により発電された電力を動力源としている。
受水装置３は、貯水タンク１７と、第１電極８を通過することにより浄化された水を貯水タンク１７に配水可能な配管１８と、を備えている。
【００２９】
［２］実施例１の作用効果
実施例１における水浄化システムにおいては、地下水等の水が、太陽光発電パネル４により発電された電力を動力源とする水供給装置２のポンプ１５によって汲み上げられる。そして、汲み上げられた水は、配管１６を介して、水浄化装置１の太陽光発電パネル４における第１電極８の水路１４に配水される。配水された水は、太陽光発電パネル４の傾斜によって、自重により時間をかけて水路１４を流れる。この際、水路１４が光触媒部材により形成されているため、通過する水が光触媒作用により浄化されるとともに、太陽光の紫外線によって殺菌される。浄化された水は、受水装置３における配管１８を介して貯水タンク１７に送られる。このようにして、殺菌、浄化された飲料水等の水を得ることができる。
【００３０】
水浄化装置１では、水を、光触媒部材により構成された第１電極８に直に流しているため、効率よく水を浄化することができる。また、第１電極８における水路１４は電極の内部に網目状に形成されているため、光触媒部材と水との接触面積が大きく、浄化効率を向上させている。更に、浄化の際における水が赤外光を吸収するため、太陽光発電パネル４自体の温度上昇を抑制することにより、エネルギー変換効率の低下を十分に抑制することができる。
また、このシステムによれば、必要な電源は水を汲み上げるためのポンプ１５の電源のみとすることができ、この電力を太陽光発電パネルによる発電により賄うことが可能であるため、簡易な構成で、頻繁なメンテナンスを必要とせずに、効率よく水を浄化することができる。
【００３１】
更に、太陽の光量が少なく、殺菌能力が不足している場合には、発電能力も低下することにより、メンテナンスが必要な複雑な電気回路なしで、自動的にポンプ１５の地下水等の汲み上げを停止することができる。そのため、貯水タンク１７への未殺菌、未浄化の水の混入を防ぐこともできる。
また、浄化中に太陽光によって暖められた温水は、夜間等の太陽光発電ができない場合の熱エネルギーとして利用することもできる。
【００３２】
尚、本発明においては、上記実施例１に限られず、目的、用途に応じて、本発明の範囲内で種々変更した実施例とすることができる。
即ち、上記実施例１においては、太陽光発電パネル４にて、第１電極８を、表層が緻密であり、内部が多孔質である光触媒部材により構成しているが（図２参照）、図３に示すように、半導体層７側の面が緻密層１９によりシールされた多孔質な光触媒部材２０により、第１電極８を構成してもよい。この際には、多孔質な光触媒部材２０における空孔が、浄化される水の水路１４となっている。更には、図４に示すように、受光面側の表面に樋状の水路２１が形成された緻密な光触媒部材により第１電極８を構成してもよい。
【００３３】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３４】
本発明は上記で詳述した実施形態に限定されず、本発明の請求項に示した範囲で様々な変形または変更が可能である。
【産業上の利用可能性】
【００３５】
本発明の水浄化装置、水浄化方法及び水浄化システムは、太陽光発電機能と水浄化機能とを備えており、光触媒による水浄化分野において広く利用することができる。特に、装置の構成部品点数が少なく、設置が容易であり、水浄化に必要な電解液や消耗部品がなく、必要な電力も太陽光発電により賄うことが可能な水を汲み上げるためのポンプ電源のみとすることができる。そのため、発展途上国、災害地域、山間部、離島等において、浄化・殺菌された飲料水等の水を確保する際に有用である。
【符号の説明】
【００３６】
１；水浄化装置、２；水供給装置、３；受水装置、４；太陽光発電パネル、５；ｎ型半導体、６；ｐ型半導体、７；半導体層、８；第１電極、９；保護層、１０；第２電極、１１；架台、１２；緻密部、１３；多孔質部、１４；水路、１５；ポンプ、１６；配管、１７；貯水タンク、１８；配管、１９；緻密層、２０；光触媒部材、２１；水路。
【図１】
2014104434.tif 000003
【図２】
2014104434.tif 000004
【図３】
2014104434.tif 000005
【図４】
2014104434.tif 000006